(57)【要約】【課題】狭額縁化が可能であり、かつ、分解が容易な画像表示装置を提供すること。【解決手段】画像表示装置１は、前面に画像を表示する表示パネル１０と、表示パネル１０の背面側に配置された筐体５０と、表示パネル１０の端縁に沿って配置され、筐体に固定された枠体３０とを備える。枠体３０は、表示パネル１０の背面の端縁に固定される第一枠部材３１と、第一枠部材３１と着脱可能に係合し、かつ、筐体５０に固定される第二枠部材４０とを有する。【選択図】図３
2018169475.tif 000002
【特許請求の範囲】
【請求項１】
前面に画像を表示する表示パネルと、
前記表示パネルの背面側に配置された筐体と、
前記表示パネルの端縁に沿って配置され、前記筐体に固定された枠体とを備え、
前記枠体は、
前記表示パネルの背面の端縁に固定される第一枠部材と、
前記第一枠部材と着脱可能に係合し、かつ、前記筐体に固定される第二枠部材とを有する、
画像表示装置。
【請求項２】
前記第一枠部材は、前記表示パネルの背面の端縁が固定される固定面を形成する固定面部と、前記固定面部に接続され、前記固定面と交差する方向の壁を形成する外壁部とを有し、
前記第二枠部材は、前記筐体の背面側に配置され、前記筐体に固定される背面部と、前記背面部から前方に向けて立設され、前記外壁部の外側に配置される側面部とを有し、
前記外壁部には係合孔が形成されており、
前記側面部には、前記係合孔と係合する係合爪が設けられている、
請求項１記載の画像表示装置。
【請求項３】
前記係合爪は、前記係合孔に挿入される先端部と、前後方向における幅が、前記先端部よりも小さな根元部とを含み、
前記係合孔は、
前記第一枠部材の延設方向に沿って延設された第一スリットであって、前記係合爪の前記先端部が挿入可能な大きさに形成された第一スリットと、
前記第一スリットと連続して配置された第二スリットであって、前記係合爪の根元部が挿入可能な大きさであって、かつ、前記係合爪の先端部が抜け出せない大きさに形成された第二スリットとを含む、
請求項２記載の画像表示装置。
【請求項４】
前記表示パネルは、正面視において多角形の外形を有し、
前記第一枠部材は、前記表示パネルの複数の辺に沿うように延設されており、
前記第二枠部材は、前記複数の辺のそれぞれに沿って配置されている、
請求項１〜３のいずれか１項に記載の画像表示装置。
【発明の詳細な説明】
【技術分野】
【０００１】
本開示は、液晶セル等の表示パネルを備える画像表示装置に関する。
【背景技術】
【０００２】
特許文献１は、前面部材の枠に液晶パネルが嵌め込まれた表示装置を開示する。この表示装置において、枠の前面には、両面テープ、接着剤または粘着剤等によって透明板が接着される。
【先行技術文献】
【特許文献】
【０００３】
【特許文献１】特開２０１１−２４４２５７号公報
【発明の概要】
【発明が解決しようとする課題】
【０００４】
本開示は、狭額縁化が可能であり、かつ、分解が容易な画像表示装置を提供する。
【課題を解決するための手段】
【０００５】
本開示における画像表示装置は、前面に画像を表示する表示パネルと、前記表示パネルの背面側に配置された筐体と、前記表示パネルの端縁に沿って配置され、前記筐体に固定された枠体とを備え、前記枠体は、前記表示パネルの背面の端縁に固定される第一枠部材と、前記第一枠部材と着脱可能に係合し、かつ、前記筐体に固定される第二枠部材とを有する。
【発明の効果】
【０００６】
本開示における画像表示装置によれば、狭額縁化が可能であり、かつ、分解が容易である。
【図面の簡単な説明】
【０００７】
【図１】実施の形態に係る画像表示装置の外観斜視図である。
【図２】実施の形態に係る画像表示装置の分解斜視図である。
【図３】実施の形態に係る画像表示装置の枠体の構造を示す断面斜視図である。
【図４】実施の形態に係る第一枠部材の一部を示す斜視図である。
【図５】実施の形態に係る第一枠部材に形成された係合孔の形状を示す平面図である。
【図６】実施の形態に係る第二枠部材の一部を示す斜視図である。
【図７】複数の第二枠部材の第一枠部材への取り付け手順の一例を説明するための図である。
【発明を実施するための形態】
【０００８】
本願発明者は、従来の画像表示装置に関し、以下の問題が生じることを見出した。従来の液晶テレビ等の画像表示装置では、狭額縁化を図るために、例えば、両面テープ等の接着材を用いて、液晶セルを枠部材の前面に固定する構造が採用されている。この構造では、枠部材の前面には、ネジ孔を設けるスペースがないため、枠部材を、液晶セル及びバックライトユニット等の背面に配置される筐体に固定するために、枠部材の側方から枠部材を筐体にネジ留めする手法が採用される。この場合、枠部材の側面にネジの頭部が露出するため、例えば、画像表示装置の美観を損なうという問題が生じる。
【０００９】
そこで、枠部材を、例えば、液晶セルが固定される前面部と、筐体の背面に固定される背面部とを有する断面がＵ字状の形状に形成することで、側面のネジを用いずに、枠部材を筐体に固定する構造も考えられる。この場合、枠部材の側面は、ネジの頭部が存在しないフラットな形状とすることができる。しかし、この構造では、枠部材の前面部と背面部との間に、筐体及びバックライトユニット等の構成要素の端部が配置され、かつ、前面部には液晶セルが接着されている。
【００１０】
そのため、例えば、画像表示装置の組み立て後の検査において不良が発見された場合に、バックライトユニット等の内部の要素を取り出すためは、液晶セルの端部を枠部材から剥がす必要が生じる。つまり、画像表示装置の分解に、主要な要素の損傷または破壊が伴う可能性がある。つまり、実質的には、画像表示装置の分解は不可能または困難である。このことは、例えば、テレビまたは携帯端末等である画像表示装置の量産を阻害する要因となる。
【００１１】
本開示は、このような知見に基づいてなされたものであり、本願発明者が鋭意検討した結果、狭額縁化が可能であり、かつ、分解が容易な画像表示装置の構造についての着想を得た。
【００１２】
以下、適宜図面を参照しながら実施の形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、本願発明者は、当業者が本開示を十分に理解するために添付図面および以下の説明を提供するのであって、これらによって特許請求の範囲に記載の主題を限定することを意図するものではない。
【００１４】
また、以下の実施の形態において、説明の便宜上、上下方向をＸ軸方向と一致させ、前後方向をＺ軸方向と一致させ、左右方向をＹ軸方向と一致させているが、これら対応付けは、本開示に係る画像表示装置の製造時または使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００１５】
以下、図１〜図７を用いて実施の形態を説明する。まず、図１および図２を用いて、実施の形態に係る画像表示装置の構成概要について説明する。
【００１６】
［１−１．画像表示装置の構成概要］
図１は、実施の形態に係る画像表示装置１の外観斜視図である。図２は、実施の形態に係る画像表示装置１の分解斜視図である。
【００１７】
図１および図２に示すように、本実施の形態に係る画像表示装置１は、表示パネル１０と、枠体３０と、筐体５０とを備える。
【００１８】
本実施の形態では、表示パネル１０は、２つの配光膜の間に配置された液晶層を有する、いわゆる液晶セルであり、配光膜及び液晶層の他に、透明電極、ガラス基板、カラーフィルタ、及び偏光フィルタ等が積層された多層構造を有している。
【００１９】
表示パネル１０の背面側（Ｚ軸プラス側）には、バックライトユニット１１が配置される。バックライトユニット１１は、背面に反射シート１３が配置された導光板１２、導光板１２の端面から光を入射する光源部２０、及び、導光板１２の前面から放出される光の拡散等を行う光学シート部１５を有する。光学シート部１５は、拡散シート等の光学シートを１以上有する。
【００２０】
なお、本実施の形態では、光源部２０は、複数のＬＥＤ（ｌｉｇｈｔ  ｅｍｉｔｔｉｎｇ  ｄｉｏｄｅ）から放出された光を、導光板１２の左右（Ｙ軸に平行な両方向）の端面から、導光板１２の内部に入射するように配置されている。すなわち、本実施の形態では、バックライトユニット１１は、エッジライト方式のバックライトユニットである。
【００２１】
筐体５０は、バックライトユニット１１の背面側に配置され、バックライトユニット１１及び表示パネル１０等を保持する平板状の部材である。筐体５０は、例えばアルミニウム、アルミニウム合金または鉄からなる金属板に絞り加工等のプレス加工を施すことによって成形された部材である。
【００２２】
枠体３０は、表示パネル１０の端縁に沿って配置され、かつ、筐体５０に固定される部材である。具体的には、枠体３０は、表示パネル１０の背面の端縁に固定される第一枠部材３１と、第一枠部材３１と着脱可能に係合し、かつ、筐体５０に固定される第二枠部材４０とを有する。
【００２３】
本実施の形態では、第一枠部材３１は、表示パネル１０の背面の上端縁及び左右の端縁に沿って配置される第一枠部材３１ａと、表示パネル１０の背面の下端縁に沿って配置される第一枠部材３１ｂとで構成される。なお、第一枠部材３１の構成はこれに限定されず、例えば、正面視において矩形状である表示パネル１０の４辺のそれぞれに沿って配置される、互いに別体である４つの部材で、１つの第一枠部材３１が構成されてもよい。また、本実施の形態では、両面テープ等の接着材によって、表示パネル１０が、第一枠部材３１に固定されている。
【００２４】
また、第二枠部材４０は、正面視において矩形状である表示パネル１０の４辺のそれぞれに沿って配置されている。なお、これら４つの第二枠部材４０を区別するために、図２に示すように、当該４つの第二枠部材４０のそれぞれに互いに異なる符号（４０ａ〜４０ｃ）を付している。すなわち、画像表示装置１は、表示パネル１０の上辺に沿って配置される第二枠部材４０ａ、表示パネル１０の左辺に沿って配置される第二枠部材４０ｂ、表示パネル１０の右辺に沿って配置される第二枠部材４０ｃ、及び表示パネル１０の下辺に沿って配置される第二枠部材４０ｄを備える。
【００２５】
本実施の形態では、第二枠部材４０ａ〜４０ｃのそれぞれには、複数の貫通孔４９が形成されており、複数の貫通孔４９のそれぞれを貫通したネジが、筐体５０に設けられたネジ孔５９と螺合することで、第二枠部材４０ａ〜４０ｃが筐体５０に固定される。なお、第二枠部材４０ｄは、例えば複数のネジにより第一枠部材３１に固定される。
【００２６】
また、例えばテレビとして実現される画像表示装置１は、上記説明した要素の他、表示パネル１０の液晶を駆動する駆動回路等の他の部材を備えるが、これら他の部材の説明及びその図示は省略する。また、画像表示装置１には、例えばテレビ台等の平面上に画像表示装置１を立てて置くための脚部が備えられる場合もある。
【００２７】
ここで、本実施の形態に係る画像表示装置１では、表示パネル１０は、枠体３０の前面に固定され、かつ、筐体５０の端縁は枠体３０に覆われる。この構造において、枠体３０は、前面側の第一枠部材３１と背面側の第二枠部材４０とで構成され、かつ第二枠部材４０は、第一枠部材３１と着脱可能に係合した状態で、画像表示装置１に配置される。これにより、画像表示装置１は分解可能である。この構造ついて、図３〜図７を用いて説明する。
【００２８】
［１−２．枠体］
図３は、実施の形態に係る画像表示装置１の枠体３０の構造を示す断面斜視図である。具体的には、図３では、図１におけるＩＩＩ−ＩＩＩ線を通るＸＺ平面で画像表示装置１を切断した場合の画像表示装置１の一部が図示されている。また、表示パネル１０は、上述のように、配光膜及び液晶層等を含む多層構造を有しているが、図３では、表示パネル１０の断面は簡易的に図示されている。
【００２９】
なお、第一枠部材３１ａと、第二枠部材４０ａ〜４０ｃのそれぞれとの取り付け構造は共通しているため、以下では、主として第一枠部材３１ａと第二枠部材４０ａとの取り付け構造について説明し、第一枠部材３１ａと第二枠部材４０ｂ及び４０ｃとの取り付け構造についての説明は省略する。
【００３０】
図３に示すように、第一枠部材３１ａは、表示パネル１０の背面の端縁が固定される固定面３２ａを形成する固定面部３２を有している。つまり、第一枠部材３１ａの前面に、表示パネル１０が固定されるため、正面視した場合に、第一枠部材３１ａの外周部分のみが見える構造が形成される。すなわち、画像表示装置１は狭額縁化が可能である。本実施の形態では、正面視した場合に、表示パネル１０の、上端、左端及び右端から数ミリ程度、第一枠部材３１ａが突出した状態である。なお、この突出した部分は、図３に示すように、表示パネル１０の端面の側方に位置するため、表示パネル１０を保護する役割を担うことができる。
【００３１】
また、本実施の形態に係る第一枠部材３１ａは、固定面部３２に接続され、固定面３２ａと交差する方向の壁を形成する外壁部３３を有している。具体的には、外壁部３３は、固定面部３２から、第二枠部材４０ａの方向（後方）に突出して形成されおり、第二枠部材４０ａの係合爪４３が挿入される係合孔３４を有している。
【００３２】
第二枠部材４０ａは、筐体５０の背面側に配置され、筐体５０に固定される背面部４１を有する。背面部４１には、貫通孔４９が形成されており、貫通孔４９を貫通したネジが、筐体５０に設けられたネジ孔５９（図２参照）と螺合することで、背面部４１を有する第二枠部材４０ａが、筐体５０に固定される。
【００３３】
また、第二枠部材４０ａは、背面部４１から前方に向けて立設され、外壁部３３の外側に配置される側面部４２を有している。側面部４２には、上述の係合爪４３が設けられており、係合爪４３が第一枠部材３１ａの外壁部３３に形成された係合孔３４と係合する。これにより、第一枠部材３１ａに固定された表示パネル１０は、枠体３０を介して筐体５０に保持される状態となる。これら係合孔３４及び係合爪４３の形状等について、図４〜図６を用いて説明する。
【００３４】
図４は、実施の形態に係る第一枠部材３１ａの一部を示す斜視図である。なお、図４では、第一枠部材３１ａの一部を後方かつ斜め上方から見た場合の斜視図、及び、係合孔３４の拡大斜視図が表されている。図５は、実施の形態に係る第一枠部材３１ａに形成された係合孔３４の形状を示す平面図（上方から見た場合の図）である。図６は、実施の形態に係る第二枠部材４０ａの一部を示す斜視図である。なお、図６では、第二枠部材４０ａの一部を前方かつ斜め下方から見た場合の斜視図及び係合爪４３の拡大斜視図が表されている。
【００３５】
図４〜図６に示すように、第一枠部材３１ａの係合孔３４は、幅が異なる２つのスリットで構成されており、幅が太いスリットに第二枠部材４０ａの係合爪４３が挿入され、かつ、スライドされることで、幅が狭いスリットに係合爪４３が引っ掛かるよう構成されている。
【００３６】
具体的には、第二枠部材４０ａの係合爪４３は、図６に示すように、係合孔３４に挿入される先端部４３ａと、前後方向（Ｚ軸方向）における幅が、先端部４３ａよりも小さな根元部４３ｂと含む。
【００３７】
また、第一枠部材３１ａの係合孔３４は、第一枠部材３１ａの延設方向（図４ではＹ軸方向）に沿って延設された第一スリット３４ａと、第一スリット３４ａと連続して配置された第二スリット３４ｂとを含む。第一スリット３４ａは、で係合爪４３の先端部４３ａが挿入可能な大きさに形成されている。第二スリット３４ｂは、係合爪４３の根元部４３ｂが挿入可能な大きさであって、かつ、係合爪４３の先端部４３ａが抜け出せない大きさに形成されている。
【００３８】
つまり、図５を基準に説明すると、図５に示す係合孔３４の第一スリット３４ａに、上方（Ｘ軸プラス側）から、係合爪４３の先端部４３ａが挿入されるように、第一枠部材３１ａに対して第二枠部材４０ａが配置される。その後、第一枠部材３１ａを右（Ｙ軸プラス側）に移動させることで、係合爪４３の先端部４３ａが第二スリット３４ｂから外側（上方）に抜け出せない状態となる（図３参照）。
【００３９】
また、係合孔３４は、図４に示すように、第一枠部材３１ａの延設方向に沿って複数配置されており、係合爪４３は、図６に示すように、第二枠部材４０ａの延設方向に沿って複数配置されている。つまり、上記のような、互いに係合しあう関係を有する係合爪４３及び係合孔３４の組が複数存在し、これにより、第二枠部材４０ａが、第一枠部材３１ａに安定的に取り付けられる。
【００４０】
また、表示パネル１０の左右の辺に沿って配置される第二枠部材４０ｂ及び４０ｃについても同様に、複数の係合爪４３が、第一枠部材３１ａに設けられた複数の係合孔３４に係合することで、第一枠部材３１ａに安定的に取り付けられる。具体的には、例えば、以下に説明される手順で、第二枠部材４０ａ〜４０ｃが、第一枠部材３１に取り付けられる。
【００４１】
［１−３．組み立て及び分解の手順例］
図７は、第二枠部材４０ａ〜４０ｄの第一枠部材３１への取り付け手順の一例を説明するための図である。なお、以下の説明における「上」及び「下」は、表示パネル１０及び第一枠部材３１が図７に示す姿勢である場合における「上」及び「下」であり、実際の組み立て作業は、例えば、表示パネル１０が水平な姿勢で行われる場合もある。また、以下の組み立て作業は、図７には現れていないバックライトユニット１１及び筐体５０が、表示パネル１０の背面側の所定位置に配置された状態で行われる。
【００４２】
第二枠部材４０ａ〜４０ｃを第一枠部材３１に取り付ける場合、まず、表示パネル１０の上辺に対応する第二枠部材４０ａが、図７に示すように、第一枠部材３１の上方から第一枠部材３１に配置され、その後、右にスライドされる。これにより、第二枠部材４０ａが第一枠部材３１対して正規の位置に配置される。
【００４３】
その状態で、例えば、表示パネル１０の左辺（Ｙ軸マイナス側の辺）に対応する第二枠部材４０ｂが、第一枠部材３１の左側から第一枠部材３１に配置され、その後、上にスライドされる。これにより、第二枠部材４０ｂが第一枠部材３１対して正規の位置に配置される。また、表示パネル１０の右辺（Ｙ軸プラス側の辺）に対応する第二枠部材４０ｃが、第一枠部材３１の右側から第一枠部材３１に配置され、その後、上にスライドされる。これにより、第二枠部材４０ｃが第一枠部材３１対して正規の位置に配置される。
【００４４】
さらに、表示パネル１０の下辺に対応する第二枠部材４０ｄが、第一枠部材３１の下から第一枠部材３１に配置され、例えば複数のネジによって第一枠部材３１に固定される。また、この状態において、第二枠部材４０ｄの左端部は、第二枠部材４０ｂの下端に接しており、かつ、第二枠部材４０ｄの右端部は、第二枠部材４０ｃの下端に接している。つまり、第二枠部材４０ｄは、左右の第二枠部材４０ｂ及び４０ｃを下方から支持する役目も有している。
【００４５】
上記手順で、第一枠部材３１に対する第二枠部材４０ａ〜４０ｄの取り付けが行われることで、第二枠部材４０ａ〜４０ｃのそれぞれが、第一枠部材３１に係合した状態となる。また、第二枠部材４０ａ〜４０ｃにおける互いに隣り合う端面は、斜め突合せにより接続される。つまり、それぞれが、延設方向に対して斜めに形成された第二枠部材４０ｂの上端面と、第二枠部材４０ａの左端面とが突き合わされた状態となる。また、それぞれが、延設方向に対して斜めに形成された第二枠部材４０ｃの上端面と、第二枠部材４０ａの右端面とが突き合わされた状態となる。
【００４６】
なお、第二枠部材４０ａ〜４０ｃのそれぞれの筐体５０へのネジ留めは、例えば、第二枠部材４０ａ〜４０ｃのそれぞれが、第一枠部材３１に対して正規の位置に配置された後に随時行われる。
【００４７】
以上のようにして組み立てられた画像表示装置１は、例えば、上記説明された手順とは逆の手順で分解される。つまり、まず、第二枠部材４０ｄを第一枠部材３１に固定する複数のネジを取り外すことで、第二枠部材４０ｄを第一枠部材３１から取り外す。次に、例えば、第二枠部材４０ｃを筐体５０に固定する複数のネジを取り外し、第二枠部材４０ｃを下方にスライドさせて、右側に引っ張ることで、第二枠部材４０ｃを第一枠部材３１から取り外す。また、第二枠部材４０ｂを筐体５０に固定する複数のネジを取り外し、第二枠部材４０ｂを下方にスライドさせて、左側に引っ張ることで、第二枠部材４０ｃを第一枠部材３１から取り外す。最後に、第二枠部材４０ａを筐体５０に固定する複数のネジを取り外し、第二枠部材４０ａを左にスライドさせて、上に引っ張ることで、第二枠部材４０ｃを第一枠部材３１から取り外す。
【００４８】
このようにして、第二枠部材４０ａ〜４０ｄが、第一枠部材３１から取り外された場合、筐体５０の端部の背面側に配置されていた、第二枠部材４０ａ〜４０ｃの背面部４１（図３参照）の存在がなくなる。これにより、筐体５０、及び、バックライトユニット１１等の内部の構成要素と、表示パネル１０、及び、表示パネル１０に接着された第一枠部材３１とを分離することができる。すなわち、表示パネル１０等の構成要素を損傷させることなく、また、ネジの取り外し等の容易な作業によって画像表示装置１を分解することができる。
【００４９】
［１−４．効果等］
以上のように、本実施の形態に係る画像表示装置１は、前面に画像を表示する表示パネル１０と、表示パネル１０の背面側に配置された筐体５０と、表示パネル１０の端縁に沿って配置され、筐体５０に固定された枠体３０とを備える。枠体３０は、表示パネル１０の背面の端縁に固定される第一枠部材３１と、第一枠部材３１と着脱可能に係合し、かつ、筐体５０に固定される第二枠部材４０とを有する。
【００５０】
この構成によれば、枠体３０の第一枠部材３１は、表示パネル１０の背面の端縁に固定されるため、表示パネル１０の前面が、第一枠部材３１によって隠されることなく、枠体３０に、表示パネル１０を保持させることができる。また、第一枠部材３１は、筐体５０に固定される第二枠部材４０と係合することで、第二枠部材４０を介して筐体５０に固定される。従って、例えば第一枠部材３１に対して前面からまたは側面からネジを挿入することで、第一枠部材３１を筐体５０に固定する必要がない。そのため、画像表示装置１の狭額縁化が図られ、かつ、例えば、正面視において、画像表示装置１の左右の側面（つまり、第一枠部材３１の左右の側面）に、ネジの頭が露出するような、美観を損ねる問題も生じない。
【００５１】
さらに、第二枠部材４０は、第一枠部材３１と着脱可能に係合するため、例えば、第一枠部材３１に固定された表示パネル１０を取り外すことなく、筐体５０と表示パネル１０とを分離することができる。つまり、上記実施の形態のように、両面テープ等の接着材によって、表示パネル１０が第一枠部材３１に固定されている場合であっても、例えば、表示パネル１０を損傷させることなく、画像表示装置１を分解することができる。そのため、例えば画像表示装置１の組み立て後の検査において不良が発見された場合に、画像表示装置１の内部の、当該不良の要因となる構成要素を交換することで、正規の製品として出荷することが可能である。
【００５２】
このように、本実施の形態に係る画像表示装置１によれば、狭額縁化が可能であり、かつ、分解が容易である。
【００５３】
また、本実施の形態において、第一枠部材３１は、表示パネル１０の背面の端縁が固定される固定面３２ａを形成する固定面部３２と、固定面部３２に接続され、固定面３２ａと交差する方向の壁を形成する外壁部３３とを有する。第二枠部材４０は、筐体５０の背面側に配置され、筐体５０に固定される背面部４１と、背面部４１から前方に向けて立設され、外壁部３３の外側に配置される側面部４２とを有する。外壁部３３には係合孔３４が形成されており、側面部４２には、係合孔３４と係合する係合爪４３が設けられている。
【００５４】
この構成によれば、外側に位置する第二枠部材４０から、内側に位置する第一枠部材３１に向けて（つまり内向きに）係合爪４３が立設されているため、第一枠部材３１及び第二枠部材４０の互いの係合のための構造を、外部に露出させずに枠体３０に設けることができる。また、表示パネル１０の背面側に位置する固定面部３２と、筐体５０の背面側に位置する背面部４１とで、表示パネル１０の背面側の構成要素（本実施の形態では、バックライトユニット１１及び筐体５０等）の端部を安定的に押さえることができる。
【００５５】
また、本実施の形態において、係合爪４３は、係合孔３４に挿入される先端部４３ａと、前後方向における幅が、先端部４３ａよりも小さな根元部４３ｂと含む。係合孔３４は、第一枠部材３１の延設方向に沿って延設された第一スリット３４ａと、第一スリット３４ａと連続して配置された第二スリット３４ｂとを含む。第一スリット３４ａは、係合爪４３の先端部４３ａが挿入可能な大きさに形成されている。第二スリット３４ｂは、係合爪４３の根元部４３ｂが挿入可能な大きさであって、かつ、係合爪４３の先端部４３ａが抜け出せない大きさに形成されている。
【００５６】
この構成によれば、係合孔３４を構成する２つのスリットのうちの幅が太い第一スリット３４ａに係合爪４３の先端部４３ａが挿入され、その状態で、スライドされることで、幅が狭い第二スリット３４ｂに係合爪４３の先端部４３ａが引っ掛かる状態が形成される。また、その状態から、係合爪４３を逆方向にスライドさせることで、係合爪４３の先端部４３ａを第一スリット３４ａから抜き出すこともできる。つまり、第二枠部材４０を、第一枠部材３１に着脱可能に係合させるための構造であって、係合の確実性と、取り外しの容易さとを備える構造を実現することができる。
【００５７】
また、本実施の形態において、表示パネル１０は、正面視において多角形の外形を有し、第一枠部材３１は、表示パネル１０の複数の辺に沿うように延設されており、第二枠部材４０は、当該複数の辺のそれぞれに沿って配置されている。
【００５８】
本実施の形態では、表示パネル１０は、例えば図２に示すように、正面視において矩形であり、第一枠部材３１を構成する第一枠部材３１ａは、表示パネル１０の３辺に沿うように延設されている。また、当該３辺のそれぞれに沿って、第二枠部材４０ａ〜４０ｃが配置されている。
【００５９】
つまり、表示パネル１０の複数の辺に沿う１つの第一枠部材３１ａに対して複数の第二枠部材４０取り付けられるよう構成されていることで、例えば、第一枠部材３１ａによる表示パネル１０の剛性の向上効果が得られやすい。また、上述のように、第二枠部材４０ａ〜４０ｄを第一枠部材３１に対して取り付ける作業、及び、画像表示装置１を分解する作業の容易性が確保される。
【００６０】
［２．他の実施の形態］
以上のように、本出願において開示する技術の例示として、実施の形態を説明した。しかしながら、本開示における技術は、これらに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００６１】
例えば、実施の形態に係る表示パネル１０は、液晶セルであり、バックライトユニット１１からの光によって画像を表示するとした。しかしながら、表示パネル１０の種類は液晶セルには限定されない。例えば、バックライトユニット１１が不要な、有機ＥＬディスプレイパネルまたはプラズマディスプレイパネル等の自発光型の表示パネルが、表示パネル１０として採用されてもよい。
【００６２】
また、バックライトユニット１１は、光源部２０から放出される光を導光板１２の端面から入射するエッジライト方式のバックライトユニットであるとしたが、バックライトユニット１１は、直下型方式のバックライトユニットであってもよい。
【００６３】
また、第二枠部材４０は、複数の係合爪４３を有するとしたが、第二枠部材４０が有する係合爪４３は１つのみであってもよい。例えば第二枠部材４０が比較的に短い場合、第二枠部材４０が有する係合爪４３の数が１つのみであっても、第二枠部材４０を第一枠部材３１に安定的に取り付けることは可能である。また、例えば、第一枠部材３０が係合爪を有し、第二枠部材４０が、当該係合爪と係合する係合孔を有してもよい。つまり、第一枠部材３０と第二枠部材４０との係合構造において雄雌が逆転してもよい。この場合であっても、第二枠部材４０を第一枠部材３１に安定的に取り付けることは可能である。
【００６４】
また、図６に示す係合爪４３は、ＸＺ平面に平行な断面がＬ字状の形状であるが、係合爪４３の形状はこれに限定されない。例えば、係合爪４３は棒状の根元部の先端に、根元部よりも外径が大きな先端部が形成された形状であってもよい。この場合であっても、第一スリット３４ａに係合爪４３の先端部が挿入され、かつ、スライドされることで、第二スリット３４ｂに係合爪４３の先端部が引っ掛かるよう構成することは可能である。
【００６５】
また、係合爪４３は、例えば、金属製である第二枠部材４０を切削することで、第二枠部材４０に一体に設けられるが、係合爪４３は、例えば、第二枠部材４０に接着、溶着または溶接されることで、第二枠部材４０に配置されてもよい。
【００６６】
また、本実施の形態において、画像表示装置１は、例えばテレビとして実現されるとした。しかしながら、画像表示装置１の構成が、例えば、パーソナルコンピュータ用のモニタディスプレイ、または、タブレット端末もしくはスマートフォン等の携帯端末等に適用されてもよい。
【００６７】
以上のように、本開示における技術の例示として、実施の形態を説明した。そのために、添付図面および詳細な説明を提供した。
【００６８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６９】
また、上述の実施の形態は、本開示における技術を例示するためのものであるから、特許請求の範囲またはその均等の範囲において種々の変更、置き換え、付加、省略などを行うことができる。
【産業上の利用可能性】
【００７０】
本開示は、例えば狭額縁化が要求される画像表示装置に適用可能である。具体的には、テレビジョン受像機、モニタディスプレイ、デジタルサイネージ、タブレット端末、スマートフォン、または、テーブル型表示装置などに、本開示は適用可能である。
【符号の説明】
【００７１】
１  画像表示装置
１０  表示パネル
１１  バックライトユニット
１２  導光板
１３  反射シート
１５  光学シート部
２０  光源部
３０  枠体
３１、３１ａ、３１ｂ  第一枠部材
３２  固定面部
３２ａ  固定面
３３  外壁部
３４  係合孔
３４ａ  第一スリット
３４ｂ  第二スリット
４０、４０ａ、４０ｂ、４０ｃ、４０ｄ  第二枠部材
４１  背面部
４２  側面部
４３  係合爪
４３ａ  先端部
４３ｂ  根元部
４９  貫通孔
５０  筐体
５９  ネジ孔
【図１】
2018169475.tif 000003
【図２】
2018169475.tif 000004
【図３】
2018169475.tif 000005
【図４】
2018169475.tif 000006
【図５】
2018169475.tif 000007
【図６】
2018169475.tif 000008
【図７】
2018169475.tif 000009